【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
約３０〜約４５の範囲の粒径分布（ｐｓｄ）急勾配因子を有する粒子状粉砕炭酸カルシウム（ＧＣＣ）を含む第１顔料成分；及び
約５５〜約７５の範囲のｐｓｄ急勾配因子及び０．５μｍ以下のｄ50を有する粒子状沈殿炭酸カルシウム（ＰＣＣ）を含む第２顔料成分
を含む組成物。
【請求項２】
第１及び第２成分粒子が、粒子状顔料中において、約５：９５〜約９５：５の範囲の第１：第２成分の質量比で存在する請求項１に記載の組成物。
【請求項３】
第１及び第２成分粒子が、粒子状顔料中において、約１０：９０〜約９０：１０の範囲の第１：第２成分の質量比で存在する請求項１に記載の組成物。
【請求項４】
第１及び第２成分粒子が、粒子状顔料中において、約３０：７０〜約７０：３０の範囲の第１：第２成分の質量比で存在する請求項１に記載の組成物。
【請求項５】
更に、カオリンクレーを含む請求項１〜４のいずれか１項に記載の組成物。
【請求項６】
前記カオリンクレーが、第１及び第２炭酸カルシウム顔料と共に、少なくとも約１０：９０の炭酸カルシウム：カオリンクレーの質量比で存在する請求項５に記載の組成物。
【請求項７】
前記カオリンクレーが、第１及び第２炭酸カルシウム顔料と共に、少なくとも約７０：３０の炭酸カルシウム：カオリンクレーの質量比で存在する請求項５に記載の組成物。
【請求項８】
前記カオリンクレーが、約０．５μｍ以上のｄ50を有する、請求項５に記載の組成物。
【請求項９】
前記カオリンクレーが、約０．５μｍ未満のｄ50を有する、請求項５に記載の組成物。
【請求項１０】
前記カオリンクレーが、約０．５μｍ〜約１．５μｍの範囲のｄ50を有する、請求項５に記載の組成物。
【請求項１１】
前記カオリンクレーが、約０．１μｍ〜約０．５μｍの範囲のｄ50を有する、請求項５に記載の組成物。
【請求項１２】
前記カオリンクレーが、約２５より大きい形状因子を有する、請求項５に記載の組成物。
【請求項１３】
前記カオリンクレーが、約３０より大きい形状因子を有する、請求項５に記載の組成物。
【請求項１４】
前記カオリンクレーが、約４５より大きい形状因子を有する、請求項５に記載の組成物。
【請求項１５】
前記カオリンクレーが、約２５未満の形状因子を有する、請求項５に記載の組成物。
【請求項１６】
前記カオリンクレーが、約５〜約２０の形状因子を有する、請求項５に記載の組成物。
【請求項１７】
前記カオリンクレーが、約２５未満の形状因子と、約０．５μｍ未満のｄ50とを有する、請求項５に記載の組成物。
【請求項１８】
前記カオリンクレーが、約２０より大きい急勾配を有する、請求項５に記載の組成物。
【請求項１９】
前記カオリンクレーが、約２５〜約４５の急勾配を有する、請求項５に記載の組成物。
【請求項２０】
前記組成物が、乾燥粒子状混合物として存在する顔料である請求項１〜１９のいずれか１項に記載の組成物。
【請求項２１】
前記組成物が、前記粒子の液体媒体中のサスペンションとして存在する顔料である請求項１〜１９のいずれか１項に記載の組成物。
【請求項２２】
前記組成物が、紙及び他の支持体上において使用される顔料である請求項１〜２１のいずれか１項に記載の組成物。
【請求項２３】
第２顔料成分が、０．５μｍ未満のｄ50を有するＰＣＣを含む請求項１〜２２のいずれか１項に記載の組成物。
【請求項２４】
第２顔料成分が、０．４５μｍ未満のｄ50を有するＰＣＣを含む請求項１〜２２のいずれか１項に記載の組成物。
【請求項２５】
第２顔料成分が、０．４０μｍ未満のｄ50を有するＰＣＣを含む請求項１〜２２のいずれか１項に記載の組成物。
【請求項２６】
第２顔料成分が、０．３５μｍ未満のｄ50を有するＰＣＣを含む請求項１〜２２のいずれか１項に記載の組成物。
【請求項２７】
第２顔料成分が、０．２〜０．５μｍのｄ50を有するＰＣＣを含む請求項１〜２２のいずれか１項に記載の組成物。
【請求項２８】
第２顔料成分が、０．３〜０．５μｍのｄ50を有するＰＣＣを含む請求項１〜２２のいずれか１項に記載の組成物。
【請求項２９】
第２顔料成分が、約０．４μｍのｄ50を有するＰＣＣを含む請求項１〜２２のいずれか１項に記載の組成物。
【請求項３０】
組成物が、本質的に、第１顔料成分及び第２顔料成分からなり；第１顔料成分が、本質的に、ＧＣＣからなり、及び第２顔料成分が、本質的に、ＰＣＣからなる請求項１〜２９のいずれか１項に記載の組成物。
【請求項３１】
粒子状顔料及びバインダーの水性サスペンションを含むコーティング組成物であって、粒子状顔料が：
約３０〜約４５の範囲のｐｓｄ急勾配因子を有する粒子状ＧＣＣを含む第１顔料成分；及び
約５５〜約７５の範囲のｐｓｄ急勾配因子及び０．５μｍ以下のｄ50を有する粒子状ＰＣＣを含む第２顔料成分
を含むコーティング組成物。
【請求項３２】
顔料が、請求項２２に記載の顔料である請求項３１に記載のコーティング組成物。
【請求項３３】
バインダーが、乾燥質量ベースで、組成物の固形分の約４〜約３０％を構成する請求項３１又は３２に記載のコーティング組成物。
【請求項３４】
バインダーが、加工デンプンを含む請求項３１〜３３のいずれか１項に記載のコーティング組成物。
【請求項３５】
バインダーが、未加工デンプンを含む請求項３１〜３３のいずれか１項に記載のコーティング組成物。
【請求項３６】
バインダーが、デンプン以外の成分を含む請求項３４又は３５に記載のコーティング組成物。
【請求項３７】
更に、１以上の架橋剤；１以上の水保持助剤；１以上の粘度改良剤及び／又は増粘剤；１以上の潤滑剤／カレンダ加工助剤；１以上の分散剤；１以上の泡止め剤／消泡剤；１以上の乾燥又は湿潤ピック改良添加剤；１以上の乾燥又は湿潤摩擦改良及び／又は耐摩耗性添加剤；１以上の光沢−インク提供添加剤；１以上の蛍光増白剤（ＯＢＡ）及び／又は蛍光性白色化剤（ＦＷＡ）；１以上の染料；１以上の殺生剤／損傷制御剤；１以上のレベリング及びイブニング助剤；１以上の耐グリース及び耐オイル添加剤；１以上の耐水添加剤；１以上の追加の顔料；又はそれらの任意の組み合わせを含む請求項３１〜３６のいずれか１項に記載のコーティング組成物。
【請求項３８】
更に、１０質量％未満の他の成分を含む請求項３１〜３７のいずれか１項に記載のコーティング組成物。
【請求項３９】
第２顔料成分が、０．５μｍ未満のｄ50を有するＰＣＣを含む請求項３１〜３８のいずれか１項に記載のコーティング組成物。
【請求項４０】
第２顔料成分が、０．４５μｍ未満のｄ50を有するＰＣＣを含む請求項３１〜３８のいずれか１項に記載のコーティング組成物。
【請求項４１】
第２顔料成分が、０．４０μｍ未満のｄ50を有するＰＣＣを含む請求項３１〜３８のいずれか１項に記載のコーティング組成物。
【請求項４２】
第２顔料成分が、０．３５μｍ未満のｄ50を有するＰＣＣを含む請求項３１〜３８のいずれか１項に記載のコーティング組成物。
【請求項４３】
第２顔料成分が、０．２〜０．５μｍのｄ50を有するＰＣＣを含む請求項３１〜３８のいずれか１項に記載のコーティング組成物。
【請求項４４】
第２顔料成分が、０．３〜０．５μｍのｄ50を有するＰＣＣを含む請求項３１〜３８のいずれか１項に記載のコーティング組成物。
【請求項４５】
第２顔料成分が、約０．４μｍのｄ50を有するＰＣＣを含む請求項３１〜３８のいずれか１項に記載のコーティング組成物。
【請求項４６】
コーティング組成物が、本質的に、粒子状顔料及びバインダーの水性サスペンションからなり、粒子状顔料が、本質的に、第１顔料成分及び第２顔料成分の混合物からなり、第１顔料成分が、本質的に、粒子状ＧＣＣからなり、及び第２顔料成分が、本質的に、粒子状ＰＣＣからなる請求項３１〜４５のいずれか１項に記載のコーティング組成物。
【請求項４７】
請求項３１〜４６のいずれか１項に記載のコーティング組成物を製造する方法であって、少なくとも前記粒子状顔料、及び前記バインダーを、固形成分のサスペンションの製造のための水性液体媒体中に混合することを含む方法。
【請求項４８】
コーティングされた製品を製造する方法であって、該製品に対して、請求項３１〜４６のいずれか１項に記載の組成物を施して、該製品をコーティングし、及び該製品をカレンダ加工して、それらの上にコーティングを形成することを含む方法。
【請求項４９】
前記製品が、紙、板、カード又は板紙の形態にある請求項４８に記載の方法。
【請求項５０】
請求項３１〜４６のいずれか１項に記載の組成物の乾燥残留物を含むコーティングでコーティングされた製品。
【請求項５１】
前記製品が、紙、板、カード又は板紙の形態にある請求項５０に記載の製品。